(57)【特許請求の範囲】
【請求項１】
少なくとも１枚の札部と軸部とを備え、前記軸部を動物の耳殻を貫通させて動物に取り付ける動物用の耳標であって、前記札部に前記軸部が突設された雄型耳標と、前記動物の耳殻を貫通した前記軸部の先端部が嵌め合わされる雌型耳標とから構成される２ピース型耳標において、
少なくとも１枚の前記札部の、前記動物の耳殻に対向する面に、前記動物の耳殻と前記札部との間のスペースを確保すると共に、前記札部の前記動物の耳殻の上における移動を防止することができる滑り止め部を設け、
前記滑り止め部は、前記雄型耳標と前記雌型耳標の前記動物の耳殻に対向する面の少なくとも一方に設けると共に、
前記滑り止め部を、内周部に円周溝を備えたリング状のスペーサ部材から構成し、該スペーサ部材は、前記円周溝を前記札部の縁部に嵌め込んで取り付けたことを特徴とする動物用の耳標。
【請求項２】
少なくとも１枚の札部と軸部とを備え、前記軸部を動物の耳殻を貫通させて動物に取り付ける動物用の耳標であって、１枚の札部と、この札部に突設された軸部とから構成され、前記軸部の先端部は、前記動物の耳殻を貫通した後に、前記軸部の前記耳殻からの脱落を防止するために、前記耳殻に開けられた貫通孔より大きく変形するように構成される１ピース型耳標において、
少なくとも１枚の前記札部の、前記動物の耳殻に対向する面に、前記動物の耳殻と前記札部との間のスペースを確保すると共に、前記札部の前記動物の耳殻の上における移動を防止することができる滑り止め部を設け、
前記滑り止め部を、前記札部の前記動物の耳殻に対向する面に設けると共に、
前記滑り止め部を、内周部に円周溝を備えたリング状のスペーサ部材から構成し、該スペーサ部材は、前記円周溝を前記札部の縁部に嵌め込んで取り付けたことを特徴とする動物用の耳標。
【請求項３】
前記滑り止め部が、所定の厚さを備えた柔軟な発泡部材から構成されていることを特徴とする請求項１または２に記載の動物用の耳標。
【請求項４】
前記軸部が、伸長可能に構成されており、前記耳殻が成長に伴ってその肉厚が増した時に、前記軸部の軸方向に変形して伸長することを特徴とする請求項１から３の何れか１項に記載の動物用の耳標。
【請求項５】
前記滑り止め部が、前記耳標の動物への装着後、その滑り止め機能を少なくとも所定の期間だけ維持する部材から構成されていることを特徴とする請求項１から４の何れか１項に記載の動物用の耳標。
【請求項６】
前記滑り止め部が、時間の経過に伴って朽ちて消滅する部材によって構成されていることを特徴とする請求項５に記載の動物用の耳標。
【請求項７】
前記滑り止め部がスペーサ部材から構成され、該スペーサ部材は内部にＲＦＩＤを包含することを特徴とする請求項１から６の何れか１項に記載の動物用の耳標。
【発明の詳細な説明】
【技術分野】
【０００１】
本発明は動物用の耳標に関し、特に、生後間もない動物の、柔らかい耳殻に装着しても脱落しない動物用の耳標に関する。
【背景技術】
【０００２】
従来、牛、羊、山羊、豚等の家畜は、牧場や養豚場で飼育される場合の固体識別の手段として、耳殻に耳標と呼ばれる固体識別具を装着している。そして、この耳標には通常は札部に動物の登録番号が印刷されているが、牧場や養豚場において外部から視認しやすい拡大された番号が印刷されていることが多い。
【０００３】
耳標には、２ピース型耳標と１ピース型耳標とがある。２ピース型耳標は、雄型耳標と雌型耳標とから構成される。雄型耳標には、札部と、この札部に突設されて動物の耳殻に貫通させる自由端が鋭利に形成された軸部とがある。また、雌型耳標には、動物の耳を貫通した軸部の先端部を挿通させる孔と、先端部が遊びを持って保持される先端部の受け入れ部とがある。一方、１ピース型耳標は、１枚の札部と、この札部に突設された軸部とから構成されており、軸部の先端部は、動物の耳殻を貫通した後に軸部が耳から脱落しないように折れ曲がるようになっている。
【０００４】
このような耳標は、動物の耳殻に取り付けられる個体識別の手段として長く使用されてきているおり、近年では、特許文献１に記載があるようにコンピュータを利用した動物の管理システムに使用されたり、動物の飼育や肥育環境を追跡するために使用される等、用途が拡大している。
【０００５】
図１（ａ）は従来の２ピース型の動物用の耳標９２の構成を示すものである。２ピース型の耳標９２は、雄型耳標１Ｍと雌型耳標１Ｆとから構成されている。雄型耳標１Ｍには表面に動物の登録番号や拡大された番号が印刷され得る札部２と、この札部２の裏面側に突設された軸部３とがある。軸部３の先端部には、軸部３に対して膨出された後に先細に形成された係止突起３Ａが設けられている。また、雌型耳標１Ｆには同じく表面に動物の登録番号や拡大された番号が印刷され得る札部２と、係止突起３Ａを挿通させる貫通孔５、及び係止突起３Ａを受け入れて係止する係止突起受入部６（図１（ｂ）参照）がある。
【０００６】
以上のように構成された従来の２ピース型の耳標９２は、図１（ｂ）に示すように、軸部３を動物の耳殻を貫通させた後の軸部３の係止突起３Ａを貫通孔５に挿通させることによって、動物の耳殻に取り付ける。雌型耳標１Ｆの貫通孔５を挿通した雄型耳標１Ｍの軸部３の係止突起３Ａは、雌型耳標１Ｆの貫通孔５の裏面に設けられた係止突起受入部６に保持される。
【０００７】
図２（ａ）は従来の１ピース型の耳標９１の構成を示すものである。１ピース型の耳標９１は、表面に動物の登録番号や拡大された番号が印刷され得る札部７と、この札部７の裏面側に突設された軸部８とから構成されている。軸部８は柔軟性を備えており、その先端部には軸部８に対して直交する方向に膨出された係止部８Ａが設けられている。係止部８Ａの一端は先細に形成されている。
【０００８】
以上のように構成された従来の１ピース型の耳標９１は、図２（ｂ）に示すように、柔軟な軸部８を変形させ、係止部３Ａの先細部を動物の耳殻Ｙの方向に向け、動物の耳殻Ｙを貫通させた後に、軸部８を元に戻せば、図２（ｃ）に示すように、係止部８Ａが軸部８に対して直交するので、軸部８が動物の耳殻Ｙを通り抜けられなくなり、動物の耳殻Ｙに取り付けられる。
【０００９】
【特許文献１】特開２０００−１８８９８６号公報
【発明の開示】
【発明が解決しようとする課題】
【００１０】
しかしながら、このような耳標は、牛のように生後間もない時でも耳殻がある程度硬い耳に取り付ける場合はしっかりと耳殻に固定されるので何の問題もないが、豚のように短期間で成長する動物の場合、生まれた直後に耳殻を貫通させて耳標を装着すると、耳殻が柔らかいために、耳標を装着した際に開けた孔がその後大きくなってしまい、大きくなった孔を耳標の札部が通り抜けて耳標が脱落する問題があった。
【００１１】
実際には、図３（ａ）に示すように、生まれた直後の子豚ＰＬの中には、耳殻Ｙが柔らかく、垂れ下がっている種類のものがある。このような状態の耳殻Ｙに、例えば、雄型耳標１Ｍと雌型耳標１Ｆからなる２ピース型の耳標９２を前述の方法で装着すると、この子豚ＰＬが成長して肉豚として出荷される半年後において、約半数の耳標９２が脱落してしまっていた。これは、子豚ＰＬの耳殻Ｙの内部組織が確立されていないためであり、耳標９２を取り付けた孔に、小さな力であっても絶えずかかり続けると、孔の周囲では内部組織の確立されづらく、孔が耳殻の成長とともに大きくなってしまうからである。
【００１２】
一方、子豚ＰＬは成長が著しく早く、生後２週目から４週目で離乳するが、離乳時の子豚ＰＧの耳殻Ｙの組織は、ほぼ成長した豚の耳殻とほぼ同じになっており、肉厚も十分にあってしっかりとした状態になっている。例えば、図３（ｂ）に示すように、耳殻Ｙが立っており、肉厚も厚い豚ＰＧに耳標を装着した場合は、耳標の脱落率は低く５％以下であった。そこで、子豚への耳標の装着は、耳殻が厚くなって内部組織も確立された離乳時以降に行われることが多かった。
【００１３】
ところが、子豚への耳標の装着を離乳時に行うと、１頭の母豚から子豚が多く生まれたために、１頭の母豚では授乳ができず、母乳にありつけなくなった子豚の授乳を他の母豚に行わせたような場合には、豚の親子関係が分からなくなり、屠殺伍の肉質の成績によって母豚の評価を行う場合に支障が起きるという問題点が新たに発生した。
【００１４】
そこで本発明の目的は、生まれた直後の耳殻が柔らかい子豚や山羊、羊などの動物の耳殻を貫通させて耳標を装着しても耳殻上での滑りが防止されることにより、耳殻に耳標を装着した動物の耳殻を傷めることがなく、耳殻の損傷に起因する耳標の脱落の虞がない優れた動物用の耳標を提供することである。
【課題を解決するための手段】
【００１５】
前記目的を達成する本発明の第１の形態は、少なくとも１枚の札部と軸部とを備え、軸部を動物の耳殻を貫通させて動物に取り付ける動物用の耳標であって、札部に軸部が突設された雄型耳標と、動物の耳殻を貫通した軸部の先端部が嵌め合わされる雌型耳標とから構成される２ピース型耳標において、少なくとも１枚の札部の、動物の耳殻に対向する面に、動物の耳殻と札部との間のスペースを確保すると共に、札部の動物の耳殻の上における移動を防止することができる滑り止め部を設け、滑り止め部は、雄型耳標と雌型耳標の動物の耳殻に対向する面の少なくとも一方に設けると共に、滑り止め部を、内周部に円周溝を備えたリング状のスペーサ部材から構成し、スペーサ部材は、円周溝を札部の縁部に嵌め込んで取り付けたことを特徴とする動物用の耳標である。
【００１６】
前記目的を達成する本発明の第２の形態は、少なくとも１枚の札部と軸部とを備え、軸部を動物の耳殻を貫通させて動物に取り付ける動物用の耳標であって、１枚の札部と、この札部に突設された軸部とから構成され、軸部の先端部は、動物の耳殻を貫通した後に、軸部の耳殻からの脱落を防止するために、耳殻に開けられた貫通孔より大きく変形するように構成される１ピース型耳標において、少なくとも１枚の札部の、動物の耳殻に対向する面に、動物の耳殻と札部との間のスペースを確保すると共に、札部の動物の耳殻の上における移動を防止することができる滑り止め部を設け、滑り止め部を、札部の動物の耳殻に対向する面に設けると共に、滑り止め部を、内周部に円周溝を備えたリング状のスペーサ部材から構成し、スペーサ部材は、円周溝を札部の縁部に嵌め込んで取り付けたことを特徴とする動物用の耳標である。
【発明の効果】
【００１７】
本発明によれば、軸部と札部とを備える耳標において、少なくとも１枚の札部の、動物の耳殻に対向する面に、動物の耳殻と札部との間のスペースを確保すると共に、札部の動物の耳殻の上における移動を防止することができる滑り止め部を設けたことにより、生まれた直後の動物の子供の耳殻を貫通させて耳標を装着した場合、滑り止め部によって軸部が耳殻に対して移動しなくなるので、耳殻に開けた孔が軸部の移動によって大きくならず、耳殻を傷めることなく耳標の脱落を防止することができる。
【発明を実施するための最良の形態】
【００１８】
以下、添付図面を用いて本発明の実施の形態を、具体的な実施例に基づいて詳細に説明する。なお、説明を分かりやすくするために、図１、図２で説明した従来の耳標９１，９２と同じ構成部材については、同じ符号を付して説明する。また、以下に説明する実施例では、動物として子豚を例に挙げて説明する。
【００１９】
本発明を成す前に、本発明者は、生後間もない子豚に耳標を装着した場合の耳標の脱落率が大きい原因を調べた。この結果、離乳時の子豚の耳殻に耳標を装着した場合は、子豚の耳殻の組織がほぼ成長した豚の耳殻とそれほど相違なくなっているのに対して、生後間もない子豚の耳殻の内部組織は確立されていないことを見出した。そして、生後間もない子豚の耳殻に耳標を取り付けた孔があると、この孔に少ない力であっても絶えず力がかかり続けると、孔の周囲では内部組織の確立が行われないことが分かった。また一方では、生後直後の子豚の耳殻に小さい孔を開けたとしても、外力が加わらなければ、時間と共にその孔は塞がってしまう優れた再生力があることも分かった。
【００２０】
このことから、生後まもない子豚のような耳殻の内部組織が確立されておらず、耳殻が柔らかい場合に耳殻に取り付ける耳標は、耳殻に対して移動を限りなく抑え、耳殻を貫通する軸部から耳殻に対する応力を限りなく少なくすれば良いことを本発明者は見出した。
【００２１】
一方、耳殻の内部組織がほぼ確立された離乳時に豚の耳殻に耳標を装着した場合でも、圧迫による血行不良によって耳標を取り付けた耳殻の部分が壊死し、結果として孔が大きくなり耳標が脱落することがあることも分かった。これは、豚の場合、生後６ヶ月程度で体重が１００ｋｇを越えてしまい出荷できる状態になるが、この間に耳も成長するので、耳が大きくなるにつれて耳殻の厚さが増すからである。つまり、従来の耳標の様に、耳殻を挟む札と札の間隔が一定のものは、例えば、離乳時の子豚の耳殻に合わせて装着時の耳標の札部と札部の間隔を決定してしまうと、豚の成長によって札が強固に耳殻を押え付けてしまい、血の循環が阻止されて耳殻に壊死が発生するのである。
【００２２】
従来のこのような問題点に対して、本発明の動物用の耳標は、生まれた直後の耳殻が柔らかい子豚や山羊、羊などの動物の耳殻を貫通させて耳標を装着しても耳殻上での滑りが防止されることにより、耳殻に耳標を装着した動物の耳殻を傷めることがなく、耳殻の損傷に起因する耳標の脱落の虞がないように案出されたものであり、以下に図４から図８を用いて本発明に係る耳標の構成を、子豚の耳殻を例にとって詳細に説明する。
【００２３】
図４（ａ）は、本発明の第１の実施例に係る２ピース型の耳標１０の構成を示すものである。この実施例の２ピース型の豚用の耳標１０は、雄型耳標１Ｍと雌型耳標１Ｆとから構成されている。雄型耳標１Ｍには表面に動物の登録番号や拡大された番号が印刷され得る札部２と、この札部２の裏面側に突設された軸部３とがある。軸部３の先端部には、軸部３に対して膨出された後に先細に形成された係止突起３Ａが設けられている。また、雌型耳標１Ｆには同じく表面に動物の登録番号や拡大された番号が印刷され得る札部４と、係止突起３Ａを挿通させる貫通孔５、及び係止突起３Ａを受け入れて係止する係止突起受入部６（図４（ｂ）参照）がある。
【００２４】
更に、この実施例では、雌型耳標１Ｆの貫通孔５の周囲に滑り止め部を設けている。滑り止め部は雌型耳標１Ｆの貫通孔５の周囲を膨出させて形成することもできるが、一般にはスペーサ部材を使用して滑り止め部を形成する。このようなスペーサ部材として、リング状で柔軟な部材、例えば発泡率の大きいスポンジ１１を雌型耳標１Ｆの貫通孔５の周囲に配置することができる。
【００２５】
スポンジ１１の中央部に開ける孔の直径は、雌型耳標１Ｆの貫通孔５の直径よりも大きくしてある。また、スポンジ１１の厚さは、図４（ｂ）に示すように、雄型耳標１Ｍの係止突起３Ａを雌型耳標１Ｆの貫通孔５に差し込んで、雌型耳標１Ｆに雄型耳標１Ｍを取り付けた状態で、耳標１０が耳殻に対して動かないようにすれば良い。即ち、スポンジ１１と雄型耳標１Ｍの裏面との間の間隔を、生後間もない子豚の耳殻の厚さ程度になるような値（例えば、約２〜３ｍｍにし、耳標１０が耳殻に軽く接触はするが、圧迫はしないようにする。
【００２６】
スポンジ１１は、雌型耳標１Ｆの貫通孔５の周囲の面に接着剤や両面テープで固定することができる。なお、スポンジ１１は、接着剤や両面テープで仮止め状態にしておくことも可能である。これは、雌型耳標１Ｆに子豚の耳殻を挿通させて雄型耳標１Ｍを取り付けた状態で、スポンジ１１が雌型耳標１Ｆから外れても差し支えないからである。また、スポンジ１１を耳標１０と別体とすれば、スポンジ１１は既成のどの耳標にも取り付けることができ、本発明の耳標とすることができる。
【００２７】
以上のように構成された２ピース型の耳標１０は、図４（ｃ）に示すように、雄型耳標１Ｍの軸部３を子豚の耳殻Ｙを貫通させた後に、その係止突起３Ａを雌型耳標１Ｆの貫通孔５に挿通させ、雌型耳標１Ｆの貫通孔５の裏面に設けられた係止突起受入部６に保持させることによって、子豚の耳殻Ｙに取り付けることができる。この状態で、子豚の耳殻Ｙは、雄型耳標１Ｍの裏面とスポンジ１１に挟まれるが、スポンジ１１が柔軟であるので、子豚の耳殻Ｙはこのスポンジ１１によってスポンジ１１が移動しない程度に柔らかく押圧されるが、子豚の耳殻Ｙが耳標１０によって強固に圧迫されるわけではない。
【００２８】
そして、スポンジ１１の直径が軸部３によって耳殻Ｙに開けられた孔の直径よりも大きく、かつ、スポンジ１１によって耳殻Ｙに対して耳標１０が移動し難いので、軸部３が耳殻Ｙに開けられた孔を圧迫することがなくなり、時間と共に耳殻Ｙに開けられた孔の傷が治る。また、子豚の成長に伴って耳殻Ｙの厚さが増えても、柔軟なスポンジ１１が収縮するので、耳殻Ｙが耳標１０によって強く圧迫されることがない。なお、このスポンジ１１は、０．５ｍｍ程度であっても、滑り止め部がない場合に比べて効果はある。
【００２９】
第１の実施例のように、スペーサ部材は雌型の耳標１Ｆの裏面に装着することが望ましい。これは、２ピース型の耳標１０では、雌型耳標１Ｆの外側に軸部３の係止突起３Ａを受け入れるための受入部６があり、この受入部６は耳殻Ｙの裏側に納める方が良いからである。何故なら、受入部６が耳殻Ｙの表側にあるとこれが抵抗となり、耳がなにかに挟まったり、または、擦れた際にそれが引っ掛かって脱落の危険が増すためである。
【００３０】
一方、雄型耳標１Ｍは、耳殻１Ｍに面している方には、軸部３が突設されているが、その反対側は平面である。このため、耳標１０は、雄札型耳標１Ｍが耳殻Ｙの外側に、また雌型耳標１Ｆが耳殻Ｙの内側に来るように耳殻に装着することが望ましいのである。しかしながら、スペース部材は、雄型の耳標１Ｍの裏面側に取り付けることももちろん可能である。
【００３１】
図５（ａ）は、図４（ａ）に示した２ピース型の耳標１０における本発明の第１の実施例のスペーサ部材１１の変形実施例の構成を示すものであり、雌型耳標１Ｆのみの構成を示している。なお、ここから幾つかの実施例は、雌型耳標１Ｆの形状が円形であるものを説明している。図４（ａ）に示したスペーサ部材としてのスポンジ１１はリング状であったが、この変形実施例では、スポンジ１１の形状が十字型になっている。スポンジ１１のその他の構成に相違はない。
【００３２】
図５（ｂ）は、図４（ａ）に示した２ピース型の耳標１０における本発明の第１の実施例の別の変形実施例の構成を示すものであり、雌型耳標１Ｆのみの構成を示している。図４（ａ）に示したスペーサ部材としてのスポンジ１１はリング状であったが、この変形実施例では、スポンジ１１の形状及び中央部の孔の形状が矩形になっている。スポンジ１１のその他の構成に相違はない。スペーサ１１の形状はこれらの形状に限定されるものではない。
【００３３】
図５（ｃ）は、２ピース型の耳標１０における本発明の第２の実施例の構成を示すものであり、雌型耳標１Ｆのみの構成を示している。第２の実施例では、スペーサ部材として、第１の実施例のスポンジ１１の代わりに、雌型耳標１Ｆの貫通孔５の周囲の部分にブラシ状部１２が設けられている。ブラシ状部１２は、諸種の獣毛、植物繊維、合成樹脂などを、雌型耳標１Ｆの貫通孔５の周囲の部分に多数植え付けたものである。ブラシ状部１２の毛足の長さは、第１の実施例のスポンジ１１の厚さと同程度とすれば良い（但し、０．５ｍｍ程度でも効果はある）。このブラシ状部１２も耳殻Ｙに対して装着後の耳標１０を移動し難くする。また、ブラシ状部１２が合成樹脂製である場合には、耳標の成型時に同時に形成することができる。
【００３４】
図５（ｄ）、（ｅ）及び（ｆ）は、２ピース型の耳標１０における本発明の第３から第５の実施例の構成を示すものであり、雌型耳標１Ｆのみの構成を示している。図５（ｄ）に示す第３の実施例では、スペーサ部材として第１の実施例のスポンジ１１の代わりに、雌型耳標１Ｆの貫通孔５の周囲の部分に、複数個の小さなコイルスプリング１３が取り付けられている。コイルスプリング１３はこの実施例では円周上に均等に配置され、その高さは第１の実施例のスポンジ１１の厚さと同程度となっている。このコイルスプリング１３も耳殻Ｙに対して装着後の耳標１０を移動し難くする。
【００３５】
コイルスプリング１３の個数は４個に限定されるものではなく、最低１個あれば良い。１個の場合は、雌型耳標１Ｆが子豚の耳殻に対して傾くが、この状態でも耳殻に開けられた孔と雌型耳標１Ｆとの間にスペースが確保されるので、効果がある。
【００３６】
図５（ｅ）に示す第４の実施例では、スペーサ部材として第１の実施例のスポンジ１１の代わりに、雌型耳標１Ｆの貫通孔５の周囲の部分に大きな１つのコイルスプリング１４が取り付けられている。また、図５（ｆ）に示す第５の実施例では、スペーサ部材として第１の実施例のスポンジ１１の代わりに、雌型耳標１Ｆの貫通孔５の周囲の部分に複数個の板ばね１５が取り付けられている。板ばね１５はこの実施例では円周上に均等に配置されており、板ばね１５の先端部の札部４からの高さは第１の実施例のスポンジ１１の厚さと同程度となっている。このコイルスプリング１４も板ばね１５も耳殻Ｙに対して装着後の耳標１０を移動し難くする。板ばね１５の個数は前述のように１個でも良い。
【００３７】
図６（ａ）、（ｂ）は、２ピース型の耳標１０における本発明の第６と第７の実施例の構成を示すものであり、雌型耳標１Ｆのみの構成を示している。第６の実施例では、スペーサ部材として第１の実施例のスポンジ１１の代わりに、雌型耳標１Ｆの貫通孔５の周囲の部分に複数個の球状のボール１６が設けられている。また、第７の実施例では、スペーサ部材として第１の実施例のスポンジ１１の代わりに、雌型耳標１Ｆの貫通孔５の周囲の部分に複数個の半球状のドーム１７が設けられている。
【００３８】
このボール１６とドーム１７の材料は柔らかい材質の合成樹脂であり、ボール１６とドーム１７は肉厚を薄くしたこの樹脂により中空で弾力性を備えた風船のような状態に形成されている。ボール１６とドーム１７は、この実施例では面を支持できるように雌型耳標１Ｆの貫通孔５の周囲に均等に配置されているが、ボール１６とドーム１７の個数は前述のように１個でも良い。ボール１６とドーム１７の高さは第１の実施例のスポンジ１１の厚さと同程度とすれば良い。このボール１６とドーム１７も耳殻Ｙに対して装着後の耳標１０を移動し難くする。なお、ボール１６とドーム１７は、札部４と同じ材質で構成し、一体成型で作ることもできる。
【００３９】
更に、このようなボール１６とドーム１７は、２週間程度の短時間でしぼんだり、分解するように構成しても良い。これは、子豚の耳殻が柔らかく、耳標によって損傷を受ける期間は生後２週間程度であり、以後は耳標が直接耳殻に触れたり、耳標の軸が移動しても構わないからである。
【００４０】
図６（ｃ）は、２ピース型の耳標１０における本発明の第８の実施例の構成を示すものであり、雌型耳標１Ｆのみの構成を示している。第８の実施例では、雌型耳標１Ｆの外縁部１８を柔軟な合成樹脂で形成すると共に、雄型耳標１Ｍの方向に折り曲げてスペーサ部材としている。この結果、雌型耳標１Ｆの外縁部１８が雄型耳標１Ｍ側から応力を受けると撓んで変形することになる。雌型耳標１Ｆの外縁部１８の札部４からの高さは第１の実施例のスポンジ１１の厚さと同程度とすれば良い。この雌型耳標１Ｆの外縁部１８も耳殻Ｙに対して装着後の耳標１０を移動し難くする。
【００４１】
図６（ｄ）は２ピース型の耳標１０における本発明の第９の実施例の構成を示すものであり、雌型耳標１Ｆのみの構成を示している。第９の実施例では、スペーサ部材として第１の実施例のスポンジ１１の代わりに、雌型耳標１Ｆの貫通孔５の周囲から雌型耳標１Ｆの外縁部１８に向かって、断面が三角形状の突起１９が放射状に設けられている。突起１９の断面は、雌型耳標１Ｆの貫通孔５に近い部分が最も小さく、外縁部１８に向かって次第に大きくなる。
【００４２】
この突起１９の雌型耳標１Ｆの外縁部１８における高さは第１の実施例のスポンジ１１の厚さと同程度とすれば良い。突起１９は札部４と同じ材料で形成しても良いが、突起１９の部分のみ、柔軟な合成樹脂で形成しても良い。この突起１９により、耳殻Ｙに対して装着後の耳標１０が移動し難くなる。また、突起１９は均等に配置されていなくても良く、更に、突起１９の数も前述のように少なくとも１個あれば良い。
【００４３】
図６（ｅ）、（ｆ）は２ピース型の耳標１０における本発明の第１０と第１１の実施例の構成を示すものであり、雌型耳標１Ｆのみの構成を示している。第１０の実施例は、図５（ｅ）に示した第４の実施例と同様に、雌型耳標１Ｆの貫通孔５の周囲の部分に、平板を螺旋状にした大きな１つの平板コイルばね２０が取り付けられている。
【００４４】
また、図６（ｆ）に示す第１１の実施例では、スペーサ部材として第１の実施例のスポンジ１１の代わりに、雌型耳標１Ｆの貫通孔５の周囲の部分に、金属ワイヤや合成樹脂製のワイヤを網目状に丸めたワイヤウールを、リング状に形成したワイヤウールリング２１が取り付けられている。平板コイルばね２０高さ、及びワイヤウールリング２１の厚さは、第１の実施例のスポンジ１１の厚さと同程度とすれば良い。この平板コイルばね２０高さ、及びワイヤウールリング２１も耳殻Ｙに対して装着後の耳標１０を移動し難くする。なお、金属ウールリング２１の場合、前述のように、金属ウールが錆びて、２週間程度で消えてしまっても良い。
【００４５】
図７（ａ）は、１ピース型の豚用の耳標３０における本発明の第１の実施例の構成を示すものである。１ピース型の豚用の耳標３０は、表面に動物の登録番号や拡大された番号が印刷され得る札部７と、この札部７の裏面側に突設された軸部８とから構成されている。軸部８は柔軟性を備えており、その先端部には軸部８に対して直交する方向に膨出された係止部８Ａが設けられている。係止部８Ａの一端は先細に形成されている。
【００４６】
更に、この実施例では、札部７の軸部８の突設位置の周囲に、スペーサ部材として、図４（ａ）で説明したリング状で柔軟な部材と同じ部材、例えばスポンジ１１を配置している。スポンジ１１の中央部に開ける孔の直径は、軸部８の直径よりも大きくしてある。また、スポンジ１１の厚さは、この耳標３０を子豚の耳殻に取り付けた状態で、スポンジ１１の表面が耳殻に触れる程度の値にすれば良い。
【００４７】
スポンジ１１は、札部７の軸部８の突設部の周囲の面に接着剤や両面テープで固定することができる。なお、スポンジ１１は、接着剤や両面テープで仮止め状態にしておくことも可能である。これは、軸部８を子豚の耳殻を挿通させて耳殻に取り付けた状態で、スポンジ１１が札部８から外れても差し支えないからである。
【００４８】
以上のように構成された１ピース型の耳標３０は、図７（ｂ）に示すように、柔軟な軸部８を変形させ、係止部８Ａの先細部を子豚の耳殻Ｙの方向に向け、子豚の耳殻Ｙを貫通させた後に、軸部８を元に戻せば、図７（ｃ）に示すように、係止部８Ａが軸部８に対して直交するので、係止部８Ａが子豚の耳殻Ｙを通り抜けられなくなり、子豚の耳殻Ｙに取り付けられる。この状態で、子豚の耳殻Ｙは係止部８Ａとスポンジ１１に挟まれるが、スポンジ１１が柔軟であるので、子豚の耳殻Ｙが耳標３０によって圧迫されることがない。
【００４９】
そして、スポンジ１１の直径が軸部８によって耳殻Ｙに開けられた孔の直径よりも大きく、かつ、スポンジ１１によって耳殻Ｙに対して耳標３０が移動し難いので、軸部８が耳殻Ｙに開けられた孔を圧迫することがなくなり、時間と共に耳殻Ｙに開けられた孔の傷が治る。また、子豚の成長に伴って耳殻Ｙの厚さが増えても、柔軟なスポンジ１１が収縮するので、耳殻Ｙが耳標３０によって圧迫されることがない。
【００５０】
この１ピース型の耳標３０に対しても、２ピース型耳標１０の第２から第１１の実施例の構造を、耳標３０の札部７に適用することが可能である。
【００５１】
図８（ａ）から（ｃ）は、２ピース型の耳標１０における本発明の第１２の実施例の構成を示すものである。図８（ａ）に示すように、第１２の実施例では、雄型耳標１Ｍの札部２に突設された軸部３に蛇腹状のベローズ２２を取り付けたものである。ベローズ２２は柔軟な合成樹脂から構成された中空の部材であり、軸部３には固定されていない。雌型耳標１Ｆの構成は従来のものと同じで良いのでここでは説明しない。ベローズ２２の軸方向の長さは、図８（ｂ）に示すように、雄型耳標１Ｍの係止突起３Ａを子豚の耳殻Ｙを挿通した後に雌型耳標１Ｆの貫通孔５に差し込んだ状態で、ベローズ２２が子豚の耳殻Ｙに軽く触れる程度になるような値にすれば良い。
【００５２】
以上のように構成された第１２の実施例の２ピース型の耳標１０は、図８（ｃ）に示すように、図８（ｂ）に示す状態から子豚が成長して耳殻Ｙの肉厚が増した場合、ベローズ２２が圧縮されて縮むので、成長した子豚の耳殻Ｙが耳標１０によって圧迫されることがない。
【００５３】
図８（ｄ）、（ｅ）は２ピース型の耳標１０における本発明の第１３の実施例の構成を示すものであり、雄型耳標１Ｍのみの構成を示している。第１３の実施例では、雌型耳標１Ｆとして、前述の２ピース型の耳標１０における本発明の第１から第１１の実施例の構成の何れかを使用することができる。第１３の実施例では、雄型耳標１Ｍの軸部３が蛇腹構造を備えたベローズ軸２３となっている点が第１から第１１の実施例における軸部３の構成と異なる。
【００５４】
図８（ｄ）に示す状態が、第１３の実施例のベローズ軸２３が最も縮んだ状態であり、ベローズ軸２３はこれ以上には縮まない。そして、図８（ｄ）に示す状態が、ベローズ構造を持たない通常の雄型耳標１Ｍの軸部３の長さと同じになっている。第１３の実施例では、図８（ｂ）、（ｃ）で説明したように、子豚が成長して耳殻Ｙの肉厚が増した場合、耳殻Ｙによって札部２が押されるとベローズ軸２３が伸びる。この結果、雌型耳標１Ｆにおける、スペーサ部材１１〜２１の収縮とベローズ軸２３の伸長効果によって、成長した子豚の耳殻Ｙが耳標１０によって圧迫されることがない。
【００５５】
図８（ｆ）、（ｇ）は２ピース型の耳標１０における本発明の第１４の実施例の構成を示すものであり、雄型耳標１Ｍのみの構成を示している。第１４の実施例では、雌型耳標１Ｆとして、前述の２ピース型の耳標１０における本発明の第１から第１１の実施例の構成の何れかを使用することができる。第１４の実施例では、雄型耳標１Ｍの軸部３が伸縮可能なテレスコピック軸２４となっている点が第１から第１１の実施例における軸部３の構成と異なる。
【００５６】
図８（ｆ）に示す状態が、第１４の実施例のテレスコピック軸２４が最も縮んだ状態であり、テレスコピック軸２４はこれ以上には縮まない。そして、図８（ｇ）に示す状態が、伸縮構造を持たない通常の雄型耳標１Ｍの軸部３の長さと同じになっている。第１４の実施例では、図８（ｂ）、（ｃ）で説明したように、子豚が成長して耳殻Ｙの肉厚が増した場合、耳殻Ｙによって札部２が押されるとテレスコピック軸２４が伸びる。この結果、雌型耳標１Ｆにおける、スペーサ部材１１〜２１の収縮とテレスコピック軸２４の伸長効果によって、成長した子豚の耳殻Ｙが耳標１０によって圧迫されることがない。
【００５７】
以上、図８を用いて雄型耳標１Ｍの軸部３の伸縮機構について説明したが、図１０（ｃ）に示すように、雄型耳標１Ｍの軸部３の長さを半分程度の長さとし、係止突起３Ａと軸部３とを弛ませた状態の紐２５で接続した後に、係止突起３Ａと軸部３を樹脂蝋（ワックス）２６で固めた構成も可能である。紐２５の長さは樹脂蝋２６で形成した軸部の長さよりも長いので、樹脂蝋２６が溶けた時に紐２５が図１０（ｄ）に示すように伸び、軸部３が伸びるように構成することも可能である。
【００５８】
更に、図１０（ｅ）は、雄型耳標１Ｍの軸部３を全て樹脂蝋２６で構成し、この樹脂蝋２６の中に、係止突起３Ａと軸部３とを接続する軸長よりも長い紐２５を埋め込んだ実施例を示している。紐２５の長さは樹脂蝋２６で形成した軸部３の長さよりも長いので、樹脂蝋２６が溶けた時に紐２５が図１０（ｆ）に示すように伸び、軸部３が伸びるように構成することも可能である。
【００５９】
図９は、２ピース型の耳標１０と１ピース型の耳標３０に共通に使用することができるスペーサ部材４０の構成を示すものである。以前に説明した実施例では、スペーサ部材１１〜２１は、軸部３の周囲に設けるものであったが、図９（ａ）で説明するスペーサ部材４０は、図９（ｂ）に示すように、雄型耳標１Ｍの札部２の周縁部、または雌型耳標１Ｆの札部４の周縁部に取り付けるように構成されたものである。スペーサ部材４０はスポンジのような柔軟な材料で構成されたリング状の部材であり、その内周部には、札部２，４の外形に合わせた溝４１を備えている。
【００６０】
この実施例のスペーサ部材４０は、図９（ｂ）に示すように溝４１の中に雄型耳標１Ｍの札部２の周縁部と雌型耳標１Ｆの札部４の周縁部を挿入することによって、雄型耳標１Ｍと雌型耳標１Ｆに取り付けることができる。従って、この実施例のスペーサ部材４０は１ピース型の耳標にも取り付けることが可能である。
【００６１】
更に、前述の実施例におけるスペーサ部材は、時間の経過によって朽ちて消滅するような部材で構成することもできる。また、スペーサ部材の中に、ＲＦＩＤ（無線認証）タグのような通信装置を埋め込んでおくことも可能である。
【００６２】
更にまた、スペーサ部材の中にＲＦＩＤのような通信装置を埋め込むのではなく、図９で説明した実施例のスペーサ部材４０を利用することができる。例えば、孔４３を備え、この孔４３を耳標の軸部に取り付け可能な、図１０（ａ）に示すようなＲＦＩＤタグ４２の縁部に、図９（ａ）で説明したスペーサ部材を、図１０（ｂ）に示すように被せることによって、ＲＦＩＤ４２を軸部に装着した１ピース型の耳標、又は２ピース型の耳標を、子豚の耳殻に取り付けることが可能となる。
【００６３】
以上、本発明の実施例の耳標を、生後間もない時期の耳殻が柔らかい、子豚の耳殻に取り付ける場合について詳細に説明したが、本発明の動物用の耳標は、子豚以外の、生後間もない時期の耳殻が柔らかい動物、例えば、山羊や羊の耳殻に取り付けても効果があることは言うまでもない。
【００６４】
これらに加えて、本発明のスペーサ部材１１，１６，１７などでは、スポンジに消炎剤や化膿止めの薬剤を浸み込ませたり、内蔵させておけば、装着後にこれらの薬剤が耳殻に開けられた貫通孔の炎症を抑えることができる。
【図面の簡単な説明】
【００６５】
【図１】（ａ）は従来の２ピース型の動物用の耳標の構成を示す組立斜視図、（ｂ）は（ａ）に示した２ピース型の耳標の動物の耳殻への装着を説明する説明図である。
【図２】（ａ）は従来の１ピース型の動物用の耳標の構成を示す斜視図、（ｂ）は（ａ）に示した１ピース型の耳標の動物の耳殻への装着前の状態を示す説明図、（ｃ）は（ａ）に示した１ピース型の耳標の動物の耳殻への装着後の状態を示す説明図である。
【図３】（ａ）は生後間もない子豚の耳殻の状態と、この耳殻への２ピース型耳標の取り付けを説明する説明図、（ｂ）は離乳時期頃の子豚の耳殻の状態を示す斜視図である。
【図４】（ａ）は２ピース型の耳標における本発明の第１の実施例の構成を示す組み立て斜視図、（ｂ）は（ａ）に示した２ピース型の耳標の生後間もない動物の耳殻への装着を説明する説明図、（ｃ）は（ａ）に示した２ピース型の耳標の生後間もない動物の耳殻への装着状態を説明する説明図である。
【図５】（ａ）は図４（ａ）に示した２ピース型の耳標における本発明の第１の実施例の変形実施例の構成を示す雌型耳標の斜視図、（ｂ）は図４（ａ）に示した２ピース型の耳標における本発明の第１の実施例の別の変形実施例の構成を示す雌型耳標の斜視図、（ｃ）は２ピース型の耳標における本発明の第２の実施例の雌型耳標の構成を示す斜視図、（ｄ）は２ピース型の耳標における本発明の第３の実施例の雌型耳標の構成を示す斜視図、（ｅ）は２ピース型の耳標における本発明の第４の実施例の雌型耳標の構成を示す斜視図、（ｆ）は２ピース型の耳標における本発明の第５の実施例の雌型耳標の構成を示す斜視図である。
【図６】（ａ）は２ピース型の耳標における本発明の第６の実施例の雌型耳標の構成を示す斜視図、（ｂ）は２ピース型の耳標における本発明の第７の実施例の雌型耳標の構成を示す斜視図、（ｃ）は２ピース型の耳標における本発明の第８の実施例の雌型耳標の構成を示す断面図、（ｄ）は２ピース型の耳標における本発明の第９の実施例の雌型耳標の構成を示す斜視図、（ｅ）は２ピース型の耳標における本発明の第１０の実施例の雌型耳標の構成を示す斜視図、（ｆ）は２ピース型の耳標における本発明の第１１の実施例の雌型耳標の構成を示す斜視図である。
【図７】（ａ）は１ピース型の耳標における本発明の第１の実施例の耳標の構成を示す斜視図、（ｂ）は（ａ）に示した１ピース型の耳標の生後間もない動物の耳への装着を説明する説明図、（ｃ）は（ａ）に示した１ピース型の耳標の生後間もない動物の耳への装着状態を説明する説明図である。
【図８】（ａ）は２ピース型の耳標における本発明の第１２の実施例の耳標の構成を示す側断面図、（ｂ）は（ａ）の２ピース型の耳標を生後間もない子豚の耳に装着した状態を示す側断面図、（ｃ）は（ｂ）に示した動物が成長して耳殻の厚さが増大した場合の第１２の実施例の雄型耳標の変形を説明する側断面図、（ｄ）は２ピース型の耳標における本発明の第１３の実施例の雄型耳標の構成を示す側面図、（ｅ）は動物が成長して耳殻の厚さが増大した場合の（ｄ）に示した雄型耳標の変形を説明する側面図、（ｆ）は２ピース型の耳標における本発明の第１４の実施例の雄型耳標の構成を示す側面図、（ｇ）は動物が成長して耳殻の厚さが増大した場合の（ｆ）に示した雄型耳標の変形を説明する側面図である。
【図９】（ａ）は１ピース型の耳標と２ピース型の耳標の縁部に被せて使用することができるスペーサ部材の構成を２ピース型の耳標と共に示す斜視図、（ｂ）は（ａ）のスペーサ部材を２ピース型の雌型耳標と雄型耳標の両方に取り付けた状態を説明する側断面図である。
【図１０】（ａ）は図９で説明したスペーサ部材をＲＦＩＤに取り付けた状態を示す斜視図、（ｂ）は（ａ）に示したスペーサ部材をＲＦＩＤに取り付けた状態を示す断面図、（ｃ）は２ピース型の耳標における本発明の第１５の実施例の雄型耳標の構成を示す側面図、（ｄ）は（ｃ）に示した耳標の軸部を構成する樹脂蝋が溶けた時の第１５の実施例の雄型耳標の変形を説明する側面図、（ｅ）は２ピース型の耳標における本発明の第１６の実施例の雄型耳標の構成を示す側面図、（ｆ）は（ｅ）に示した耳標の軸部を構成する樹脂蝋が溶けた時の第１５の実施例の雄型耳標の変形を説明する側面図である。
【符号の説明】
【００６６】
１Ｆ    雌型耳標
１Ｍ    雄型耳標
２，４，７    札部
３、８    軸部
３Ａ、８Ａ    係止突起
５    貫通孔
１０    本発明の２ピース型耳標
１１    スポンジ
１２    ブラシ状部
１３、１４    コイルスプリング
１５    板ばね
１６    ボール
１７    ドーム
１８    外縁部
１９    突起
２０    平板コイルばね
２１    ワイヤウールリング
２２    ベローズ
２３    ベローズ軸
２４    テレスコピック軸
２５    紐
２６    樹脂蝋（ワックス）
３０    本発明の１ピース型耳標
４０    スペーサ部材
４１    溝
４２    ＲＦＩＤ
【図１】
0005094342.tif 000002
【図２】
0005094342.tif 000003
【図３】
0005094342.tif 000004
【図４】
0005094342.tif 000005
【図５】
0005094342.tif 000006
【図６】
0005094342.tif 000007
【図７】
0005094342.tif 000008
【図８】
0005094342.tif 000009
【図９】
0005094342.tif 000010
【図１０】
0005094342.tif 000011